(57)【特許請求の範囲】
【請求項１】
車体前部に形成された上向き開口の後縁部近傍に左右後端が枢支され、前端側が前記上向き開口の前周縁部に上下に開放可能にロックされて、前記上向き開口を覆うフードを備えた車両のフード構造において、
前記フードが、前記上向き開口を覆うフード主板と、該フード主板の下面に重なり一体結合される補強板とで形成され、
前記補強板は、前記フード主板の前後左右の外周縁部に沿って延設されて下方に膨出する断面形状に形成された前後及び左右側の骨格部と、前記骨格部の両側縁から前記骨格部の外側へ延びるフランジと、を有しており、
前記前方の骨格部の車幅方向中央部には、前記上向き開口の前縁部に開放可能にロックされるロック手段が設けられ、
該左右側方の骨格部の前後方向での中間部には、それぞれ当該左右側方の骨格部の車幅方向外側に位置し膨出量が変化しない連続膨出部と、それぞれ当該左右側方の骨格部の車幅方向内側の側縁部から車幅方向外側へ向って膨出量を前記連続膨出部の膨出量よりも低減させるとともに前記フランジの膨出量よりも増加させた退却平面部と、が段状に連続して形成され、
前記フードに車両の前突による過荷重を受けた際には、左右両側方の前記退却平面部が前記フードの屈曲変形の起点となり、前記フードに車両の斜突による過荷重を受けた際には、左右いずれかの前記退却平面部と前記ロック手段とが前記フードの屈曲変形の起点となるよう構成したことを特徴とする車両のフード構造。
【請求項２】
前記退却平面部は、前記側方の骨格部の車幅方向内側の側縁部に沿った部位を底辺とした三角形状に形成され、
当該退却平面部の三角形状の前側および後側の斜片を成す部位が縦壁状の段状部で形成され、前記前側の斜辺を成す段状部が、前記ロック手段に向かって車幅方向内側斜め前方に傾斜されていることを特徴とする請求項１記載の車両のフード構造。
【請求項３】
前記補強板には、車両前後方向中間部において車幅方向に延設されて、左右の前記退却平面部間を連結する補助横梁が形成されていることを特徴とする請求項１又は２記載の車両のフード構造。
【請求項４】
前記上向き開口はエンジンルームの上向き開口であり、
前記退却平面部には前記エンジンルームの上向き開口を開閉するフードを開放位置に保持するサポートロッドの係止穴が形成されたことを特徴とする請求項１乃至３のいずれか一つに記載の車両のフード構造。
【発明の詳細な説明】
【技術分野】
【０００１】
本発明は、車両の前突や斜突の際にフードを所定位置で屈曲させることでフードの後退を抑制するようにした車両のフード構造に関する。
【背景技術】
【０００２】
車体前部に形成されたエンジンルームを開閉可能に覆うフードはその左右後端が、エンジンルームの上向き開口の後周縁部近傍にヒンジ結合され、フードの前端側がロック部材により上向き開口の前側周縁部に開放可能にロックされている。  
このようなフードはアウタパネルとインナパネルとを上下に重ねて一体結合され、所定の剛性を保持する。特に、フード外周縁はアウタパネルとインナパネルとで閉断面を成すように形成され、その前後左右の骨格部によりフード外周縁の形状剛性を保持する。更に、インナパネル側の断面下向き膨出状の中間梁部が外周縁部を除く中央領域に配設され、その両側端が前後左右の骨格部に連続形成されることでフード中央の形状剛性を保持している。
【０００３】
このような車両が前突した場合、フードはその衝撃の程度によってはそのまま後退して、フードの後端部がウインドシールドに侵入してしまう場合がある。このような事態を避けるために、従来は、フードのインナパネルには、車両前後方向略中間位置に車幅方向に延びるビードが形成されている。具体的には、フードのインナパネルの左右側方の骨格部や中央部の梁部材などにビードが形成され、これら複数のビードがフードの車両前後方向中間位置で車幅方向に並ぶように設けられている。このビード部分が前突時の過荷重を受けた場合にここを起点としてフードに折れ変形を生じさせるので、フードの折れ変形により衝突荷重が吸収されるとともにフードの後退が抑えられて、フード後端部のウインドシールドへの侵入が防止される。  
なお、フードのインナパネルに車幅方向に延びるビードを形成し、ビードを起点としてフードに折れ変形を生じさせる変形促進機能を持たせた従来構造の一例が特許文献１、特許文献２にそれぞれ記載されている。
【先行技術文献】
【特許文献】
【０００４】
【特許文献１】実開平０３−０２６６７８号公報
【特許文献２】特開２００６−２２４８７６号公報
【発明の概要】
【発明が解決しようとする課題】
【０００５】
このように、フードのインナパネルに車幅方向に延びるビードを形成した場合、即ち、ビードを形成した該当部であるフード外周縁の左右側方の骨格部やフードの中央部分に設けられる梁部材にビードを形成した場合、これらがフード全体の剛性や強度を低下させる原因を成してしまっていた。そこで、ビードの深さ、形状は過度にフードの剛性や強度が低下しないように的確な設定をする必要があった。即ち、フード剛性を保持する機能とフードに折れ変形を生じさせる変形促進機能との相反する特性を両立させる必要があり、そのバランスの設定が難しかった。    更に、フードのインナパネル側に車幅方向に延びるビードを形成した場合、前突に対しては適正にビード部分で折れ変形して衝撃吸収性能を発揮するが、斜突の場合、車幅方向に延びるビードでは的確に折れ変形することができず、十分な衝撃吸収性能を発揮できるものではなかった。  
このように、従来の車両のフード構造には、改善の余地があった。
【０００６】
本発明は以上のような課題に基づきなされたもので、目的とするところは、フード全体の剛性および強度の低下を抑えて衝突時に確実にフードに折れ変形を生じさせる変形促進機能を持たせ、しかも前突だけでなく、斜突においてもフードの変形を促進して衝撃吸収効果を十分に発揮することができる車両のフード構造を提供することにある。
【課題を解決するための手段】
【０００７】
本願請求項１の発明は、車体前部に形成された上向き開口の後縁部近傍に左右後端が枢支され、前端側が前記上向き開口の前周縁部に上下に開放可能にロックされて、前記上向き開口を覆うフードを備えた車両のフード構造において、前記フードが、前記上向き開口を覆うフード主板と、該フード主板の下面に重なり一体結合される補強板とで形成され、前記補強板は、前記フード主板の前後左右の外周縁部に沿って延設されて下方に膨出する断面形状に形成された前後及び左右側の骨格部と、前記骨格部の両側縁から前記骨格部の外側へ延びるフランジと、を有しており、前記前方の骨格部の車幅方向中央部には、前記上向き開口の前縁部に開放可能にロックされるロック手段が設けられ、該左右側方の骨格部の前後方向での中間部には、それぞれ当該左右側方の骨格部の車幅方向外側に位置し膨出量が変化しない連続膨出部と、それぞれ当該左右側方の骨格部の車幅方向内側の側縁部から車幅方向外側へ向って膨出量を前記連続膨出部の膨出量よりも低減させるとともに前記フランジの膨出量よりも増加させた退却平面部と、が段状に連続して形成され、前記フードに車両の前突による過荷重を受けた際には、左右両側方の前記退却平面部が前記フードの屈曲変形の起点となり、前記フードに車両の斜突による過荷重を受けた際には、左右いずれかの前記退却平面部と前記ロック手段とが前記フードの屈曲変形の起点となるよう構成したことを特徴とする。
【０００８】
本願請求項２の発明は、請求項１記載の車両のフード構造において、前記退却平面部は、前記側方の骨格部の車幅方向内側の側縁部に沿った部位を底辺とした三角形状に形成され、当該退却平面部の三角形状の前側および後側の斜片を成す部位が縦壁状の段状部で形成され、前記前側の斜辺を成す段状部が、前記ロック手段に向かって車幅方向内側斜め前方に傾斜されていることを特徴とする。
【０００９】
本願請求項３の発明は、請求項１又は２記載の車両のフード構造において、前記補強板には、車両前後方向中間部において車幅方向に延設されて、左右の前記退却平面部間を連結する補助横梁が形成されていることを特徴とする。
【００１０】
本願請求項４の発明は、請求項１乃至３のいずれか一つに記載の車両のフード構造において、前記上向き開口はエンジンルームの上向き開口であり、前記退却平面部には前記エンジンルームの上向き開口を開閉するフードを開放位置に保持するサポートロッドの係止穴が形成されたことを特徴とする。
【発明の効果】
【００１１】
請求項１の発明は、フード主板とその前後左右の周縁部の下面に重なり一体結合される前後及び左右側の骨格部とによりフード剛性を損なわないようにでき、車両の前突による過荷重の入力を受けると左右の退却平面部を結ぶ直線の位置を起点としてフードが前後に屈曲変形を開始し、車両の左右いずれかの方向からの斜突による過荷重の入力を受けるとロック手段より退却平面部に傾斜して延びる直線の位置を起点としてフードが前斜側部の屈曲変形を開始するよう形成したので、確実に当該直線位置で屈曲変形を開始するので、変形開始以後所定の変形モードに沿って変形が行なわれるようになり、特に、フードの左右の側骨部がウインドシールドへ進入するような変形を防止でき、乗員の安全性を確保できる。
【００１２】
請求項２の発明は、退却平面部とその前端側より屈曲して延びる段状部とが応力集中部を形成でき、しかもその段状部がロック手段より延びる直線に沿うようにして重なるので、車両の斜突による過荷重を受けると該応力集中部でフードがより容易に変形を開始でき、より確実にフードを屈曲変形させることができる。
【００１３】
請求項３の発明は、車両前後方向中間部において車幅方向に補助横梁が延設されるので、この補助横梁によりフードの中央部における車幅方向での剛性を保持でき、しかも左右の退却平面部とその間の補助横梁の変形促進機能により、前突時にはこの部位が起点となってフード全体が補助横梁に沿って屈曲変形するようにできる。したがって、フード全体の剛性を落とすことなく、確実に屈曲変形させることができる。
【００１４】
請求項４の発明は、エンジンルームのフードに設けられた退却平面部を過荷重を受けた際の変形開始位置を規制する部位としても、フードを開放保持するためのサポートロッドが係止される係止穴を形成する係止平面部としても共用でき、構成の簡素化を図れる。
【図面の簡単な説明】
【００１５】
【図１】本発明の一実施形態としての車両のフード構造が適用されたフードを有する車両の概略前部斜視図である。
【図２】図１の車両の概略前部平面図である。
【図３】図１のフード構造が適用されたフードの裏面拡大図である。
【図４】図３のフードのＡ−Ａ線概略断面図である。
【図５】図３のフードのＢ−Ｂ線概略断面図及び開放時の形態を２点鎖線で示す図である。
【図６】図３のフードのＣ−Ｃ線概略断面図である。
【図７】図３のフードの左右の側骨部に設けた退却平面部の拡大図を示す。
【図８】図７の退却平面部の側断面図を示す。
【図９】図２のフードのヒンジ部の要部拡大側面図である。
【図１０】図２のフードのロック部の要部拡大側断面図である。
【図１１】図２のフードの前突時に屈曲した状態を示す概略図である。
【図１２】図２のフードが斜突時に屈曲した状態を示す概略図である。
【発明を実施するための形態】
【００１６】
以下、本発明の第１の実施形態である車両のフード構造について説明する。なお、図面中の矢印Ｘは、車両前後方向を示し、矢印Ｙは、車幅方向を示す。  
図１は、本発明の車両のフード構造を備えた車両１の前部を示す。  
車両はその前部１の両側部に、前部１の左右側面を成すフロントフェンダパネル２がそれぞれ配設される。左右一対のフロントフェンダパネル２の間にはエンジンルーム３が配設され、エンジンルーム３の上向き開口３０１がフード（エンジンフード）４によって覆われている。  
図２に示すように、フード４は上向き開口３０１を覆うフード主板であるアウタパネル５とアウタパネル５の下面に重なり一体結合される補強板であるインナパネル１１（図３参照）とで主要部が形成される。インナパネル１１は、アウタパル５の前後左右の外周縁部に沿って延設され、下方に膨出する断面形状に形成された前後及び左右側の骨格部６，７，８，９（図２に実線で示した）を有している。
【００１７】
更に、図２、図９に示すように、フード４の左右後端部は、それぞれフードヒンジ１２を介してエンジンルーム３の上向き開口３０１の後周縁部ｍｒである左右のエプロンアッパメンバ（車両骨格部材）１３に枢支される。フード４の前方骨格部６の車幅方向中央は、上向き開口３０１の前周縁部ｍｆを成すフロントバルクヘッド１４（図１０参照）の車幅方向中央にロック手段であるラッチ２２及びストライカ２１を介して上下に開放可能にロックされる。  
図９に示すように、フードヒンジ１２は車体側であるエプロンアッパメンバ１３に取り付けられたベースプレート１５（ヒンジベース）と、一端部がフードのインナパネル１１に取り付けられたヒンジアーム１６とを有し、両者は車幅方向に延びる回転中心線Ｌ１（図２参照）を回転中心として枢着される。
【００１８】
ここで、ベースプレート１５は、車両正面視で略Ｌ字形状を成しており、図９に示すように、エプロンアッパメンバ１３の頂壁部１３１にボルト締結により固定される取付座１５１と、この取付座１５１の車幅方向内側の側縁から立ち上げられた縦壁部１５２とによって形成される。縦壁部１５２の上部には、ヒンジアーム１６の取付用として、ヒンジピン１７が取り付けられている。  
ベースプレート１５の車幅方向内側に配設されるヒンジアーム１６の基端部とベースプレート１５とは、ヒンジピン１７によって車幅方向中心線Ｌ１の回りに相対回転可能に連結される。  
ヒンジアーム１６の上縁側は、車幅方向内側へ折り曲げられてフランジ部１６１が形成されている。フランジ部１６１は、フードインナパネル１１のフード取付座部１８と重ねられ、フード取付座部１８に設けられた前後一対のボルト穴を有するナット１９、１９に締結ボルト２０がねじ込まれることで、フード取付座部１８にフランジ部１６１が締結される。これにより、フード４の左右後端部がフードヒンジ１２を介して左右のエプロンアッパメンバ１３に枢支される。なお、左右のフードヒンジ１２は左右対称に形成される。
【００１９】
図１０に示すように、フード４の前方骨格部６は、インナパネル１１が下方に膨出形成された断面形状でアウタパネル５の前縁部に沿って左右に延在するよう形成されている。そして前方骨格部６の車幅方向中央には、平坦なロック基部６０１が形成され、そこにＵ字状のストライカ２１が下向きに突設されている。  
インナパネル１１の前方骨格部６の車幅方向中央のストライカ２１（図２に破線で示す）と、上向き開口３０１の前周縁部ｍｆを成すフロントバルクヘッド１４の車幅方向中央のラッチ２２とはロック手段を成し、フード４を上下に開放可能にロックする。  
図１０に示すように、ストライカ２１は前後の脚部ｓ１、ｓ２と、両脚部の突端を繋ぐピン部ｓ３とがＵ字状に一体成形された部品であり、前後の脚部の基端ｓ４がロック基部６０１に溶着されている。
【００２０】
ラッチ２２は、フロントバルクヘッド１４に取付けられたハウジング２２１と、先端がストライカ２１に係合するように鉤状に形成されてハウジング２２１にスイング自在に取付けられたフック部２２２とを備え、フック部２２２がストライカ２１に係合・離脱可能に形成される。なお、フック部２２２は不図示の開閉リンク機構を介して常閉状態より開放位置に切換え可能に形成される。  
図２に示すように、フード４のアウタパネル５は前方に凸状を成して湾曲する前端縁ｎ１と、前方に凹状を成して湾曲する後端縁ｎ２と、左右の直状側縁ｎ３，ｎ４とを有した略矩形板状に形成される。
【００２１】
図３に示すように、アウタパネル５に下方より重なり一体的に結合されるインナパネル１１は、アウタパネル５の前後左右の外周縁部ｎ１〜ｎ４（図２参照）に沿ってアウタパネル５の下面に重なり一体結合される。このインナパネル１１は、アウタパネル５の外周縁部ｎ１〜ｎ４に沿って延設されフード外周縁の形状剛性を保持する前後及び左右側の骨格部６、７、８、９と、外周縁部を除く中央領域において車両前後方向に延び、その両側端を前後の骨格部６，７に連続形成されることでフード中央の形状剛性を保持する複数の中間梁部２４（図４参照）とで形成される。  
ここで、前後及び左右側の骨格部６、７、８、９や、複数の中間梁部２４はそれぞれが下向き膨出状の横断面形状を成しており、アウタパネル５に結合された状態で閉断面を形成するよう構成されている。そして、前後及び左右側の骨格部６、７、８、９は、それぞれフード４の前後縁部および左右側縁部に沿って連続的に形成されており、複数の中間梁部２４は、前後の骨格部６．７の間を繋ぐように車両前後方向に延在されている。そして、これら骨格部６，７，８，９と中間梁部２４とが一体的にプレス成形により形成される。
【００２２】
前方骨格部６は、その車幅方向中央部分にストライカ２１（図１０参照）を下向きに突設したロック基部６０１が形成される。しかも、この前方骨格部６はそのロック基部６０１を中心に左右それぞれの側に所定間隔を隔てた位置より中間梁部２４を後方に分岐して複数延出形成し、更に、左右端より左右側方骨格部８、９を後方に延出形成する。  
左右側方骨格部８、９はその後端が後方骨格部７の左右端に連結され、それぞれ一体形成され、複数の中間梁部２４の後端が後方骨格部７に連結され、それぞれ一体形成される。なお、図３に示すようにインナパネル１１の車両前後方向での中間部には、車幅方向に延設される複数の補助横梁１１１が設けられている。具体的には、車両前後方向に延びる左右側方骨格部８、９及び複数の中間梁部２４が車両前後方向での中間部において、それぞれ隣り合う部材と補助横梁１１１によって連結されている。この補助横梁１１１によりフード４の中央部における車幅方向での剛性を保持している。
【００２３】
図３、７に示すように、左右側方骨格部８、９には、その骨格部の前後方向での中間部に膨出量を段状に減少させた三角形状の退却平面部２６がそれぞれ形成されている。  
左右の退却平面部２６は左右対称に形成され、ここでは一方の側方骨格部８を主に説明する。  
図７、図８に示すように、側方骨格部８はその断面が、膨出部Ｂとその左右側縁から延びる左右フランジｂとで下向き膨出断面に形成されており、側方骨格部８（膨出部Ｂ）の車両中心線Ｌｃ側と対向する中央側（車幅方向内側）の側縁部（図７で右側）から車幅方向外側に向けて膨出量を部分的に低減させた退却平面部２６が形成されている。
【００２４】
すなわち、図８に示すように、側方骨格部８の長手方向（車両前後方向）の中間部は、断面が膨出量ｈ１の膨出部Ｂ（連続膨出部ｅ）と膨出量を低減させた膨出量ｈ２の退却平面部２６とで段状に形成されている。図７に示すように、退却平面部２６は、側方骨格部８（膨出部Ｂ）の車両中心線Ｌｃ側と対向する中央側（車幅方向内側）の側縁部（図７で右側）を底辺ａ１とした三角形状に形成される。すなわち、側方骨格部８は、車両前後方向中間部分に車幅方向内側の側縁部から車幅方向外側に向かって切り込むように三角形状の凹部（退却平面部２６）が形成された状態となっている。  
三角形状の退却平面部２６の頂点となる突端部ｐ１は、側方骨格部８の膨出部Ｂの車外側の側縁部より幅ｇだけ車内側に位置しており、突端部ｐ１より車外側には、膨出量ｈ１が前後で変化しない連続膨出部ｅが形成される。側方骨格部８は、この連続膨出部ｅの幅ｇを増減調整することで、前後方向での曲げ剛性を調整することができる。
【００２５】
そして、この三角形状の退却平面部２６が、前突時におけるフード４の屈曲（折れ）変形の起点として機能し、左右の退却平面部２６の三角形状の頂点である突端部ｐ１を互いに結ぶ前突屈曲基準線Ｌｆに略沿った状態にフード４が屈曲される仕組みとなっている。  また、本実施形態では、図３に示すように、補助横梁１１１が前突屈曲基準線Ｌｆに略沿うように車幅方向Ｙに並んで設けられており、左右の退却平面部２６間を補助横梁１１１で連結した構成としている。これにより、フード４の中央部分では、この補助横梁１１１に沿って前突時の応力が集中することとなるので、補助横梁１１１に沿ってフードが折れ曲がるという変形促進機能を保持できる。
【００２６】
このように構成することで、図１１に実線で示す定常状態より、前突が生じると、まず、左右の側方骨格部８、９が一対の退却平面部６で屈曲変形され、これが起点となってフード４全体が補助横梁１１１に沿って屈曲変形する。このような左右の退却平面部２６とその間の補助横梁１１１の変形促進機能により、所定の変形モードに沿って変形が行なわれ、図１１に２点差線で示すように屈曲することとなる。したがって、フード４全体の後退が抑制され、後方骨格部７および側方骨格部８、９が後退してウインドシールドＷ（図１参照）へ侵入するような変形を防止でき、乗員の安全性を確保できる。  
更に、図７、８に示すように、膨出量を段状に減少させた退却平面部２６と膨出部Ｂとの境目には、縦壁状の段状部Ｄが形成されており、この段状部Ｄが退却平面部２６の三角形状の前側および後側の各斜辺ａ２，ａ３を形成している。
【００２７】
そして、前側の斜辺ａ２は、フード４の前方骨格部６の車幅方向中央に設けられるロック手段であるストライカ２１に向って延びるよう車幅方向に対して車体前方側に向って傾斜（傾斜角α）されている。具体的には、退却平面部２６の前側の斜辺ａ２を成す段状部Ｄが、退却平面部２６の三角形状の頂点を成す突端部ｐ１とストライカ２１の前端部分とを結んだ斜突屈曲基準線Ｌｓに略沿うように形成されている。  
ここで、図８に示すように、縦壁状の段状部Ｄと退却平面部２６とがなす屈曲部のアールｒの曲率半径が大きいほど曲げ剛性が高く、小さいほど曲げ変形を促進することとなり、適正値が適宜設定される。更に、縦壁状の段状部Ｄと退却平面部２６とがなす挟み角θが小さいほど曲げ変形を促進し、大きいほど曲げ剛性を高めることとなり、適正値が適宜設定される。
【００２８】
このように、退却平面部２６とその前側（図７で下側）の段状部Ｄである斜辺ａ２とがなす屈曲部（アールｒの形成部）が応力集中部を形成できる。また、一方でストライカ２１が設けられる前方骨格部６の車幅方向中央部分はロック基部６０１により補強されているので、車両の斜突による過荷重を受けると、退却平面部２６の斜辺ａ２を成す段状部Ｄとストライカ２１とが屈曲変形の起点となる。そして、斜辺ａ２を成す段状部Ｄがストライカ２１より延びる斜突屈曲基準線Ｌｓに沿うようにして重なるため、フード４が斜突屈曲基準線Ｌｓに沿って屈曲変形を開始するよう機能する。  
このため、図１２に示すように、斜突が発生した場合、フード４が実線で示す定常状態より、斜突屈曲基準線Ｌｓで屈曲変形を開始し、連続して所定の変形モードに沿って変形が進み、図１２に２点差線で示すように屈曲変形する。このため、車両の斜突時に、フード４の左右の側方骨格部８、９の後退が抑制され、側方骨格部８、９が後退して、ウインドシールドＷ（図１参照）へ侵入するような変形を防止でき、乗員の安全性を確保できる。
【００２９】
更に、退却平面部２６の中央には楕円状の貫通穴である係止穴２８が形成されている。この係止穴２８を設けることにより、車両の衝突時に退却平面部２６が他の部位より変形し易くなるので、退却平面部２６を屈曲変形の起点としてより確実に機能させることができる。なお、左右いずれか一方の退却平面部２６の係止穴２８は、図５に示すように、これと対向する側のエプロンアッパメンバ１３に基端が枢支されたサポートロッド２９の先端を突入でき、フードを開放位置に保持できる。この際、サポートロッド２９の先端側の先端屈曲部２９１が係止穴２８の周縁に係止されることで、フードを開放位置に安定して保持する機能を発揮できる。
【００３０】
以上説明したように、本発明のフード構造では、左右の側方骨格部８．９の車両前後方向中間部分に、車幅方向内側の側縁部から車幅方向外側へ向けて膨出量を部分的に低減させた退却平面部２６を形成し、車両の前突による過荷重の入力を受けると左右両側の退却平面部２６をフード４の屈曲変形の起点として機能させ、斜突時には、車両の左右いずれかの方向からの斜突による過荷重の入力を受けると左右いずれかの退却平面部２６とフード４の前端中央部に設けられるロック手段であるストライカ２１とをフード４の屈曲変形の起点として機能させる構成としたので、左右の側方骨格部８．９に退却平面部２６を形成するという簡単な構成で、前突と斜突の両方に対応してフード４を確実に屈曲変形させることができる。特に、退却平面部２６の形状を左右の側方骨格部８．９（膨出部Ｂ）の車幅方向内側の側縁部を底辺ａ１とした三角形状に形成し、三角形状の前側の縦壁状の段状部Ｄである斜辺ａ２を退却平面部２６の三角形状の頂点を成す突端部ｐ１とストライカ２１の前端部分とを結んだ斜突屈曲基準線Ｌｓに略沿うように傾斜させているので、斜突時のフード４の屈曲変形が確実かつスムーズとなり、斜突時においても変形開始以後の変形が所定の変形モードに沿って確実に行なわれる。
【００３１】
また、左右の退却平面部２６の突端部ｐ１同士を結んだ前突屈曲基準線前Ｌｆに略沿うように補助横梁１１１を車幅方向に並んで設けているので、前突時における変形促進機能を発揮でき、変形開始以後の変形がより確実に行なわれる。  
したがって、前突、斜突関係無く、フード４の後方骨格部６や左右の側方骨格部８、９がウインドシールドへ侵入するような変形を防止でき、乗員の安全性をより確実に確保することができる。  
しかも本発明のフード構造であれば、従来構造のようにフードの中央部分の中間梁部に幅方向に亘ってビードを設ける必要がなく、フード４全体の剛性が落ちにくいので、通常走行時におけるフード剛性を損なうこともない。
【００３２】
また、更には、エンジンルームのフード４に設けられた退却平面部２６を衝突時における変形開始の起点となる部位としても、フードを開放保持するためのサポートロッド２９が係止される係止穴２８を形成する係止平面部としても共用でき、構成の簡素化を図れる。  
以上のように、本発明のフード構造であれば、簡素な構造でフード剛性を維持したまま車両の前突、斜突に対応して確実に変形することができるフードを提供することができる。  
なお、上述した本実施形態では、退却平面部２６の形状を三角形状としているが、少なくとも前側の斜辺ａ２（図７参照）がストライカ２１側に向って傾斜された形状であれば三角形状でなくとも良く、同等の効果を得ることができる。
【００３３】
また、補助横梁１１１を前突屈曲基準線前Ｌｆに略沿うように設けて、この補助横梁１１１によりフード４の中央部における車幅方向での剛性を保持しているが、前突屈曲基準線前Ｌｆを挟んで互いに並列配備される複数の補助横梁１１１を用いてもよく、その場合も効果を得ることができる。  
また、上述のところで、退却平面部２６にはサポートロッド２９の係止穴２８が形成され、退却平面部２６がサポートロッド２９の係止平面を兼ねていたが、サポートロッド２９の係止平面を別途形成し、退却平面部２６が屈曲変形の起点を設定する部位としてのみ機能するよう構成しても良い。  
以上、本発明の実施形態を説明したが、本発明は係る実施形態に限定されるものではなく、本発明の趣旨を逸脱しない範囲で種々変形して実施することができる。
【符号の説明】
【００３４】
１    車両
３    エンジンルーム
３０１    上向き開口
４    フード
５    アウタパネル
６    前方骨格部
７    後方骨格部
８、９    左右の側方骨格部
１２    フードヒンジ
１３    エプロンアッパメンバ（車両骨格部材）
２１    ストライカ（ロック手段）
２２    ラッチ
２６    退却平面部
ａ１    底辺
ａ２    前側の斜辺
ａ３    後側の斜辺
ｅ    連続膨出部
ｈ１    退却平面部の膨出量
ｈ２    膨出部の膨出量
ｍｆ    前縁部
ｍｒ    後縁部
ｎ１    前端
ｐ１    突端部
Ｂ    膨出部
Ｄ    段状部
Ｅ    幅
Ｌｆ    前突屈曲基準線
Ｌｓ    斜突屈曲基準線
【図１】
0005240324.tif 000002
【図２】
0005240324.tif 000003
【図３】
0005240324.tif 000004
【図４】
0005240324.tif 000005
【図５】
0005240324.tif 000006
【図６】
0005240324.tif 000007
【図７】
0005240324.tif 000008
【図８】
0005240324.tif 000009
【図９】
0005240324.tif 000010
【図１０】
0005240324.tif 000011
【図１１】
0005240324.tif 000012
【図１２】
0005240324.tif 000013